(57)【特許請求の範囲】
【請求項１】
モータケースと、該モータケースに結合され、ギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、互いに間隔を置いて配置され、前記ギヤケースカバーに対する位置決めおよび固定可能な複数個のギヤケースカバー位置決め部を有し前記ホイールギヤの回転にともなう前記コンタクタの回転により、該コンタクタと電気的に接続または遮断する複数個の導電性を有するコンタクトプレートと、前記各コンタクトプレートを互いに連結する複数個の切断用つなぎ部と、前記ギヤケースカバーの内面における前記各ギヤケースカバー位置決め部にそれぞれ対応した位置に形成され、該各ギヤケースカバー位置決め部を固定する複数個のコンタクトプレート支持部と、前記ギヤケースカバーの内面において前記各切断用つなぎ部に対応した位置で孔状に形成された治具挿入部とを備え、前記各切断用つなぎ部は、切断されることにより前記各コンタクトプレートを互いに分離する第１の端部と、前記治具挿入部内に挿入される切断用つなぎ部本体と、該切断用つなぎ部本体を治具挿入部内に折り曲げるための折り曲げ中心となる第２の端部とから構成したことを特徴とするワイパモータ。
【請求項２】
モータケースと、該モータケースに結合され、ギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、互いに間隔を置いて配置され、前記ギヤケースカバーに対する位置決めおよび固定可能な複数個のギヤケースカバー位置決め部を有し、前記コンタクタと常時電気的に接続された第１のコンタクトプレート、該第１のコンタクトプレートから絶縁され電気的に接地された第２のコンタクトプレートおよび該第１、第２のコンタクトプレートからそれぞれ絶縁され常時電源に電気的に接続された第３のコンタクトプレートと、前記第１、第２および第３のコンタクトプレートを互いに連結する複数個の切断用つなぎ部と、前記ギヤケースカバーの内面における前記各ギヤケースカバー位置決め部にそれぞれ対応した位置に形成され、該各ギヤケースカバー位置決め部を固定する複数個のコンタクトプレート支持部と、前記ギヤケースカバーの内面において前記各切断用つなぎ部に対応した位置で孔状に形成された治具挿入部とを備え、前記各切断用つなぎ部は、切断されることにより前記第１、第２および第３のコンタクトプレートを互いに分離する第１の端部と、前記治具挿入部内に挿入される切断用つなぎ部本体と、該切断用つなぎ部本体を治具挿入部内に折り曲げるための折り曲げ中心となる第２の端部とから構成し、前記ホイールギヤの回転にともなう前記コンタクタの回転により、該コンタクタの接点部が前記第２のコンタクトプレートと前記第３のコンタクトプレートに電気的に切替え接続するよう該第２および第３のコンタクトプレートを配置したことを特徴とするワイパモータ。
【請求項３】
モータケースと、該モータケースに結合されギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、導電性を有し一体に成形されたコンタクトプレート母材から形成され、前記ギヤケースカバーの内側に互いに絶縁状態で配置されて前記ホイールギヤの回転にともなう前記コンタクタの回転により、該コンタクタと電気的に接続または遮断する複数個のコンタクトプレートと、を備えたワイパモータであって、前記導電性を有し一体に成形されたコンタクトプレート母材は、絶縁部形成用空間を介して互いに間隔を置いて配置された複数個の切断用つなぎ部と、該各切断用つなぎ部を介して互いに連結された複数個のコンタクトプレート本体と、該各コンタクトプレート本体のそれぞれに設けられ、前記ギヤケースカバーに対する位置決めおよび固定可能な複数個のギヤケースカバー位置決め部を有し、前記ギヤケースカバーの内面には、前記各ギヤケースカバー位置決め部にそれぞれ対応した位置に形成され、該各ギヤケースカバー位置決め部を固定する複数個のコンタクトプレート支持部と、前記各切断用つなぎ部に対応した位置で孔状に形成され、該各切断用つなぎ部を切断する際の切断用治具挿入用の治具挿入部を有し、前記各切断用つなぎ部は、切断される第１の端部と、前記治具挿入部内に挿入される切断用つなぎ部本体と、該切断用つなぎ部本体を治具挿入部内に折り曲げるための折り曲げ中心となる第２の端部とからなり、前記各コンタクトプレート支持部に前記各ギヤケースカバー位置決め部を固定する第１の工程と、前記治具挿入部に切断用治具を挿入する第２の工程と、前記切断用治具により前記各切断用つなぎ部の第１の端部を切断するとともに第２の端部を折り曲げ中心として切断用つなぎ部本体を治具挿入部内に折り曲げて前記各コンタクトプレート本体を互いに絶縁状態に分割する第３の工程により、複数個のコンタクトプレートを形成したことを特徴とするワイパモータの製造方法。
【請求項４】
モータケースと、該モータケースに結合されギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、導電性を有し一体に成形されたコンタクトプレート母材から形成され、前記コンタクタに常時電気的に接続された第１のコンタクトプレート、該第１のコンタクトプレートから絶縁され電気的に接地された第２のコンタクトプレート、および該第１、第２のコンタクトプレートからそれぞれ絶縁され常時電源に電気的に接続された第３のコンタクトプレートとを備え、前記ホイールギヤの回転にともなう前記コンタクタの回転により、該コンタクタの接点部が前記第２のコンタクトプレートと前記第３のコンタクトプレートに電気的に切替え接続するワイパモータであって、前記導電性を有し一体に成形されたコンタクトプレート母材は、絶縁部形成用空間を介して互いに間隔を置いて配置された複数個の切断用つなぎ部と、該各切断用つなぎ部を介して互いに連結された第１、第２および第３のコンタクトプレート本体と、該各コンタクトプレート本体のそれぞれに設けられ、前記ギヤケースカバーに対する位置決めおよび固定可能な複数個のギヤケースカバー位置決め部を有し、前記ギヤケースカバーの内面には、前記各ギヤケースカバー位置決め部にそれぞれ対応した位置に形成され、該各ギヤケースカバー位置決め部を固定する複数個のコンタクトプレート支持部と、前記各切断用つなぎ部に対応した位置で孔状に形成され、該各切断用つなぎ部を切断する際の切断用治具挿入用の治具挿入部を有し、前記各切断用つなぎ部は、切断される第１の端部と、前記治具挿入部内に挿入される切断用つなぎ部本体と、該切断用つなぎ部本体を治具挿入部内に折り曲げるための折り曲げ中心となる第２の端部とからなり、前記各コンタクトプレート支持部に前記各ギヤケースカバー位置決め部を固定する第１の工程と、前記治具挿入部に切断用治具を挿入する第２の工程と、前記切断用治具により前記各切断用つなぎ部の第１の端部を切断するとともに第２の端部を折り曲げ中心として切断用つなぎ部本体を治具挿入部内に折り曲げて前記第１、第２および第３のコンタクトプレート本体を互いに絶縁状態に分割する第３の工程により、第１、第２および第３のコンタクトプレートを形成したことを特徴とするワイパモータの製造方法。
【発明の詳細な説明】
【０００１】
【発明の属する技術分野】
本発明は、通電することによってワイパ動作を行って払拭面を拭うのに利用されるワイパモータおよびその製造方法に関するものである。
【０００２】
【従来の技術】
通電することによってワイパ動作を行って払拭面を拭うワイパモータとしては、ワイパスイッチがオン切換されると、アーマチュアが回転し、このアーマチュアの回転力により、ケースに回転可能に支持されているホイールギヤがアーマチュアに噛み合いながら回転し、ホイールギヤに取付けられた出力軸が回転し、この出力軸にリンクを介して結合されるワイパ軸を往復で回動させ、ワイパアームを介してワイパ軸に取付けられたワイパブレードによって払拭面を拭う。
【０００３】
ホイールギヤとケースとのあいだには、ホイールギヤの回転にともなって作動するワイパ定位置停止スイッチが設けられており、ワイパ定位置停止スイッチには、ホイールギヤとともに回転するコンタクタと、電源側に電気的に接続された第１のコンタクトプレートと、接地に電気的に接続された第２のコンタクトプレートと、コンタクタに電気的に接続された第３のコンタクトプレートとが備えられている。
【０００４】
このようなワイパモータでは、ワイパが作動中、ワイパブレードが停止位置にないときに、ワイパスイッチがオフ切換えされると、ワイパブレードが所定の停止位置にくるまでは、ワイパ定位置停止スイッチの第２のコンタクトプレートにコンタクタが電気的に接続されることによって、ワイパスイッチがオフの状態になってからも、ワイパモータにアース回路が形成されつづけて電源の供給が続けられる一方、ワイパブレードが所定の停止位置にきたときに、ワイパ定位置停止スイッチのコンタクタが第１のコンタクトプレートに電気的に接続されることによって、アーマチュアショート回路が形成されるため、ワイパモータに電磁制動がかけられてワイパブレードが所定の停止位置に停止する。
【０００５】
【発明が解決しようとする課題】
ところが、上述したワイパモータにおいて、ケース側に配置された３個のコンタクトプレートがそれぞれ独立して成形されたうえで、それぞれ別々にケースに圧入されていたため、作成する際の材料の歩留りが悪く材料の無駄が生じてしまうと共に、組込み工数が増大するという問題を有しており、これらの問題を解決することが従来の課題になっていた。
【０００６】
【発明の目的】
本発明は、上記した従来の課題に着目してなされたもので、材料の歩留りを良好にして材料の無駄を少なく抑えたワイパモータを提供することを目的とし、また、材料の無駄を極力少なく抑えることができると共に、作業性の向上をも実現することが可能であるワイパモータおよびその製造方法を提供することを目的としている。
【０００７】
【課題を解決するための手段】
本発明の請求項１に係わるワイパモータは、モータケースと、該モータケースに結合され、ギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと互いに間隔を置いて配置され、前記ギヤケースカバーに対する位置決めおよび固定可能な複数個のギヤケースカバー位置決め部を有し前記ホイールギヤの回転にともなう前記コンタクタの回転により、該コンタクタと電気的に接続または遮断する複数個の導電性を有するコンタクトプレートと、前記各コンタクトプレートを互いに連結する複数個の切断用つなぎ部と、前記ギヤケースカバーの内面における前記各ギヤケースカバー位置決め部にそれぞれ対応した位置に形成され、該各ギヤケースカバー位置決め部を固定する複数個のコンタクトプレート支持部と、前記ギヤケースカバーの内面において前記各切断用つなぎ部に対応した位置で孔状に形成された治具挿入部とを備え、前記各切断用つなぎ部は、切断されることにより前記各コンタクトプレートを互いに分離する第１の端部と、前記治具挿入部内に挿入される切断用つなぎ部本体と、該切断用つなぎ部本体を治具挿入部内に折り曲げるための折り曲げ中心となる第２の端部とから構成したことを特徴としており、このワイパモータの構成を前述した従来の課題を解決するための手段としている。
【０００８】
また、本発明の請求項２に係わるワイパモータは、モータケースと、該モータケースに結合され、ギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、互いに間隔を置いて配置され、前記ギヤケースカバーに対する位置決めおよび固定可能な複数個のギヤケースカバー位置決め部を有し、前記コンタクタと常時電気的に接続された第１のコンタクトプレート、該第１のコンタクトプレートから絶縁され電気的に接地された第２のコンタクトプレートおよび該第１、第２のコンタクトプレートからそれぞれ絶縁され常時電源に電気的に接続された第３のコンタクトプレートと、前記第１、第２および第３のコンタクトプレートを互いに連結する複数個の切断用つなぎ部と、前記ギヤケースカバーの内面における前記各ギヤケースカバー位置決め部にそれぞれ対応した位置に形成され、該各ギヤケースカバー位置決め部を固定する複数個のコンタクトプレート支持部と、前記ギヤケースカバーの内面において前記各切断用つなぎ部に対応した位置で孔状に形成された治具挿入部とを備え、前記各切断用つなぎ部は、切断されることにより前記第１、第２および第３のコンタクトプレートを互いに分離する第１の端部と、前記治具挿入部内に挿入される切断用つなぎ部本体と、該切断用つなぎ部本体を治具挿入部内に折り曲げるための折り曲げ中心となる第２の端部とから構成し、前記ホイールギヤの回転にともなう前記コンタクタの回転により、該コンタクタの接点部が前記第２のコンタクトプレートと前記第３のコンタクトプレートに電気的に切替え接続するよう該第２および第３のコンタクトプレートを配置した構成としたことを特徴としており、このワイパモータの構成を前述した従来の課題を解決するための手段としている。
【０００９】
本発明の請求項３に係わるワイパモータの製造方法は、モータケースと、該モータケースに結合されギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、導電性を有し一体に成形されたコンタクトプレート母材から形成され、前記ギヤケースカバーの内側に互いに絶縁状態で配置されて前記ホイールギヤの回転にともなう前記コンタクタの回転により、該コンタクタと電気的に接続または遮断する複数個のコンタクトプレートと、を備えたワイパモータであって、前記導電性を有し一体に成形されたコンタクトプレート母材は、絶縁部形成用空間を介して互いに間隔を置いて配置された複数個の切断用つなぎ部と、該各切断用つなぎ部を介して互いに連結された複数個のコンタクトプレート本体と、該各コンタクトプレート本体のそれぞれに設けられ、前記ギヤケースカバーに対する位置決めおよび固定可能な複数個のギヤケースカバー位置決め部を有し、前記ギヤケースカバーの内面には、前記各ギヤケースカバー位置決め部にそれぞれ対応した位置に形成され、該各ギヤケースカバー位置決め部を固定する複数個のコンタクトプレート支持部と、前記各切断用つなぎ部に対応した位置で孔状に形成され、該各切断用つなぎ部を切断する際の切断用治具挿入用の治具挿入部を有し、前記各切断用つなぎ部は、切断される第１の端部と、前記治具挿入部内に挿入される切断用つなぎ部本体と、該切断用つなぎ部本体を治具挿入部内に折り曲げるための折り曲げ中心となる第２の端部とからなり、前記各コンタクトプレート支持部に前記各ギヤケースカバー位置決め部を固定する第１の工程と、前記治具挿入部に切断用治具を挿入する第２の工程と、前記切断用治具により前記各切断用つなぎ部の第１の端部を切断するとともに第２の端部を折り曲げ中心として切断用つなぎ部本体を治具挿入部内に折り曲げて前記各コンタクトプレート本体を互いに絶縁状態に分割する第３の工程により、複数個のコンタクトプレートを形成した構成としたことを特徴としており、このワイパモータの製造方法の構成を前述した従来の課題を解決するための手段としている。
【００１０】
また、本発明の請求項４に係わるワイパモータの製造方法は、モータケースと、該モータケースに結合されギヤ収容部が形成されたギヤケースと、該ギヤケースのギヤ収容部を覆う絶縁性のギヤケースカバーと、前記モータケースの内側に配置されたマグネットと、該マグネットの内側に配置され、通電により回転可能なアーマチュアと、前記ギヤケースのギヤ収容部に収容され、前記アーマチュアのアーマチュア軸に噛合されたホイールギヤと、該ホイールギヤに結合された出力軸と、前記ホイールギヤに係合され、該ホイールギヤとともに回転する導電性のコンタクタと、導電性を有し一体に成形されたコンタクトプレート母材から形成され、前記コンタクタに常時電気的に接続された第１のコンタクトプレート、該第１のコンタクトプレートから絶縁され電気的に接地された第２のコンタクトプレート、および該第１、第２のコンタクトプレートからそれぞれ絶縁され常時電源に電気的に接続された第３のコンタクトプレートとを備え、前記ホイールギヤの回転にともなう前記コンタクタの回転により、該コンタクタの接点部が前記第２のコンタクトプレートと前記第３のコンタクトプレートに電気的に切替え接続するワイパモータであって、前記導電性を有し一体に成形されたコンタクトプレート母材は、絶縁部形成用空間を介して互いに間隔を置いて配置された複数個の切断用つなぎ部と、該各切断用つなぎ部を介して互いに連結された第１、第２および第３のコンタクトプレート本体と、該各コンタクトプレート本体のそれぞれに設けられ、前記ギヤケースカバーに対する位置決めおよび固定可能な複数個のギヤケースカバー位置決め部を有し、前記ギヤケースカバーの内面には、前記各ギヤケースカバー位置決め部にそれぞれ対応した位置に形成され、該各ギヤケースカバー位置決め部を固定する複数個のコンタクトプレート支持部と、前記各切断用つなぎ部に対応した位置で孔状に形成され、該各切断用つなぎ部を切断する際の切断用治具挿入用の治具挿入部を有し、前記各切断用つなぎ部は、切断される第１の端部と、前記治具挿入部内に挿入される切断用つなぎ部本体と、該切断用つなぎ部本体を治具挿入部内に折り曲げるための折り曲げ中心となる第２の端部とからなり、前記各コンタクトプレート支持部に前記各ギヤケースカバー位置決め部を固定する第１の工程と、前記治具挿入部に切断用治具を挿入する第２の工程と、前記切断用治具により前記各切断用つなぎ部の第１の端部を切断するとともに第２の端部を折り曲げ中心として切断用つなぎ部本体を治具挿入部内に折り曲げて前記第２および第３のコンタクトプレート本体を互いに絶縁状態に分割する第３の工程により、第１、第２および第３のコンタクトプレートを形成した構成としたことを特徴としており、このワイパモータの製造方法の構成を前述した従来の課題を解決するための手段としている。
【００１１】
【発明の作用】
本発明の請求項１に係わるワイパモータにおいて、複数個のコンタクトプレートは、各ギヤケースカバー位置決め部がギヤケースカバーの複数個のコンタクトプレート支持部にそれぞれ固定され、各コンタクトプレートを互いに連結する複数個の切断用つなぎ部は、切断されることにより各コンタクトプレートを互いに分離する第１の端部と、治具挿入部内に挿入される切断用つなぎ部本体と、該切断用つなぎ部本体を治具挿入部内に折り曲げるための折り曲げ中心となる第２の端部とから構成されている。
【００１２】
したがって、各コンタクトプレートは、複数個の切断用つなぎ部にて連結された状態でギヤケースカバー上に固定することが可能であり、従来生じていた複数個のコンタクトプレートを個々にギヤケースカバーに取付ける必要がなくなる。また、各切断用つなぎ部は、第１の端部のみが切断されるとともに、各切断用つなぎ部本体は治具挿入部内に挿入されるので、その除去作業は不要となる。
【００１３】
また、本発明の請求項２に係わるワイパモータにおいて、第１、第２および第３のコンタクトプレートは、各ギヤケースカバー位置決め部がギヤケースカバーの複数個のコンタクトプレート支持部にそれぞれ固定され、各コンタクトプレートを互いに連結する複数個の切断用つなぎ部は、切断されることにより各コンタクトプレートを互いに分離する第１の端部と、治具挿入部内に挿入される切断用つなぎ部本体と、該切断用つなぎ部本体を治具挿入部内に折り曲げるための折り曲げ中心となる第２の端部とから構成されている。
【００１４】
したがって、第１、第２および第３のコンタクトプレートは、複数個の切断用つなぎ部にて連結された状態でギヤケースカバー上に固定することが可能であり、従来生じていた複数個のコンタクトプレートを個々にギヤケースカバーに取付ける必要がなくなる。また、各切断用つなぎ部は、第１の端部のみが切断されるとともに、各切断用つなぎ部本体は治具挿入部内に挿入されるので、その除去作業は不要となる。
【００１５】
本発明の請求項３に係わるワイパモータの製造方法では、複数個のコンタクトプレートは、導電性を有するコンタクトプレート母材に一体に成形された複数個のコンタクトプレート本体の各ギヤケースカバー位置決め部をギヤケースカバーの複数個のコンタクトプレート支持部にそれぞれ固定した後に、切断用治具を治具挿入部に挿入し、この切断用治具により各切断用つなぎ部の第１の端部を切断するとともに第２の端部を折り曲げ中心として切断用つなぎ部本体を治具挿入部内に折り曲げることで、ギヤケースカバー上において互いに絶縁されて形成され、そして、配置される。したがって、ギヤケースカバーには、一体をなすコンタクトプレート母材のみを取付けることになり、従来生じていた複数個のコンタクトプレートを別々に作成した際の材料の無駄がなくなるうえ、独立して成形された複数個のコンタクトプレートを個々にギヤケースカバーに取付ける必要もなくなる。また、各切断用つなぎ部本体は各コンタクトプレート本体から分離していないので、その除去作業が不要となる。
【００１６】
また、本発明の請求項４に係わるワイパモータの製造方法によれば、第１〜第３のコンタクトプレートは、導電性を有するコンタクトプレート母材に一体に成形された第１〜第３のコンタクトプレート本体の各ギヤケースカバー位置決め部をギヤケースカバーの複数個のコンタクトプレート支持部にそれぞれ固定した後に、切断用治具を治具挿入部に挿入し、この切断用治具により各切断用つなぎ部の第１の端部を切断するとともに第２の端部を折り曲げ中心として切断用つなぎ部本体を治具挿入部内に折り曲げることで、ギヤケースカバー上において互いに絶縁されて形成され、第１のコンタクトプレートは、コンタクタに常時電気的に接続され、電気的に接地された第２のコンタクトプレートは、第１のコンタクトプレートから絶縁されて配置され、常時電源に電気的に接続される第３のコンタクトプレートは、第１および第２のコンタクトプレートから絶縁されて配置される。したがって、ギヤケースカバーには、一体をなすコンタクトプレート母材のみを取付けることになり、従来のような第１、第２および第３のコンタクトプレートを別々に作成する際に生じる材料の無駄がなくなるのに加えて、独立して成形された第１、第２および第３のコンタクトプレートを個々にギヤケースカバーに取付ける必要もなくなる。また、各切断用つなぎ部本体は各コンタクトプレート本体から分離していないので、その除去作業が不要となる。
【００１７】
【実施例】
図１ないし図７は、本発明に係わるワイパモータの第１実施例を示している。
【００１８】
図示するワイパモータ１は、主として、モータケース２、マグネット３，４、アーマチュア５、ギヤケース６、ホイールギヤ７、第１の中間ギヤ８、第２の中間ギヤ９、ギヤケースカバー１０、コンタクタ１１、第１のコンタクトプレート１２、第２のコンタクトプレート１３、第３のコンタクトプレート１４から構成されている。
【００１９】
モータケース２には、一方の内側に、後述するアーマチュア５に備えたアーマチュア軸５ａの一端側を回転可能に支持するための第１の軸受１５が取付けられており、中央部分の内側にマグネット３，４が取付けられている。マグネット３，４は対向位置にＳ極，Ｎ極がそれぞれ着磁されている。モータケース２は、ギヤケース６にビス４１をねじ込むことによって他方側の開口端部が結合されている。
【００２０】
モータケース２に取付けられたマグネット３，４の内側にはアーマチュア５が配置されている。アーマチュア５は、予め定められたスロット数のコイル巻回部５ｂ１を有するアーマチュアコア５ｂがアーマチュア軸５ａのほぼ中央に固定されており、このアーマチュア軸５ａにはアーマチュアコア５ｂの近くにコンミュテータ５ｃが設けられている。
【００２１】
コンミュテータ５ｃの外周側には上記スロット数に対応して絶縁された複数個のコンミュテータ片５ｃ１が設けられているため、各コンミュテータ片５ｃ１に電気的に接続されたうえでアーマチュアコア５ｂのコイル巻回部５ｂ１に巻かれたアーマチュアコイル５ｄが設けられている。
【００２２】
コンミュテータ５ｃの各コンミュテータ片５ｃ１の外側には第１のブラシ（電源用）５ｅ、第２のブラシ（低速用）５ｆ、第３のブラシ（高速用）５ｇの３個が電気的に接続可能に配置され、各ブラシ５ｅ、５ｆ、５ｇは後述するギヤケースカバー１０に取付けられたコネクタ部１６内に配置された第１の外部接続端子１７、第２の外部接続端子１８、第３の外部接続端子１９にそれぞれ電気的に接続されている。第１の外部接続端子１７は、図６に示されるように、電源５０に接続され、第２の外部接続端子１８はワイパスイッチ３０の端子Ｌに電気的に接続され、第３の外部接続端子１９はワイパスイッチ３０の端子Ｈに電気的に接続される。ワイパスイッチ３０の端子Ｅは接地に接続される。
【００２３】
ワイパスイッチ３０が低速モード（LOW)に切換えられると、端子Ｅが端子Ｌに接続されるため、電源５０、第１の外部接続端子１７、第１のブラシ５ｅ、第２のブラシ５ｆ、第２の外部接続端子１８、ワイパスイッチ３０の端子Ｌ、ワイパスイッチ３０の端子Ｅ、接地を通る通電経路が形成され、アーマチュアコイル５ｄが各スロット毎に順次励磁されて磁力を発生し、アーマチュアコイル５ｄが発生した磁力と、マグネット３，４が発生している磁力とによりアーマチュア５が低速で正回転する。
【００２４】
上記に反して、ワイパスイッチ３０が高速モード（HI) に切換えられると、端子Ｅが端子Ｈに接続されるため、電源５０、第１の外部接続端子１７、第１のブラシ５ｅ、第３のブラシ５ｇ、第３の外部接続端子１９、ワイパスイッチ３０の端子Ｈ、ワイパスイッチ３０の端子Ｅ、接地を通る通電経路が形成され、アーマチュアコイル５ｄが各スロット毎に順次励磁されて磁力を発生し、アーマチュアコイル５ｄが発生した磁力と、マグネット３，４が発生している磁力とによりアーマチュア５が高速で正回転する。
【００２５】
アーマチュア５のアーマチュア軸５ａは、モータケース２の開口端部からギヤケース６に形成されたギヤ収容部６ａ内に突出しており、ギヤ収容部６ａ内に第１のウオーム５ａ１と第２のウオーム５ａ２とが形成されている。アーマチュア軸５ａはギヤケース６の端部で第２の軸受２０によって回転可能に支持されている。
【００２６】
ギヤケース６には、断面が略コ字形状に形成されたギヤ収容部６ａが備えられており、このギヤ収容部６ａ内にホイールギヤ７、第１の中間ギヤ８、第２の中間ギヤ９が収められ、ギヤ収容部６ａは開口部がギヤケースカバー１０によって閉塞される。
【００２７】
ホイールギヤ７は、ギヤ収容部６ａのほぼ中央部で回転可能に支持された出力軸２１に固定されており、第１の中間ギヤ８、第２の中間ギヤ９は、ホイールギヤ７に近い位置で回転可能に支持されている。第１の中間ギヤ８には１段目ギヤ８ａと、この１段目ギヤ８ａよりも大きい２段目ギヤ８ｂが設けられ、第２の中間ギヤ９には１段目ギヤ９ａと、この１段目ギヤ９ａよりも大きい２段目ギヤ９ｂが設けられている。
【００２８】
第１の中間ギヤ８は、２段目ギヤ８ｂがアーマチュア軸５ａの第１のウオーム５ａ１に噛み合っているとともに、１段目ギヤ８ａがホイールギヤ７に噛み合っており、第２の中間ギヤ９は、２段目ギヤ９ｂがアーマチュア軸５ａの第２のウオーム５ａ２に噛み合っているとともに、１段目ギヤ９ａが第１の中間ギヤ８とは異なる位置でホイールギヤ７に噛み合っているため、アーマチュア軸５ａの回転力が第１、第２の中間ギヤ８ａ、８ｂを介し減速されてホイールギヤ７の回転に変換される。
【００２９】
ホイールギヤ７が固定された出力軸２１にはギヤケース６の外側で図示しないリンクの一部を構成するモータアームの基端部が結合され、モータアームの先端部には同じくリンクの一部を構成するリンクコンロッドの一端部が球面対偶を介して結合され、このリンクコンロッドの他端部には同じくリンクの一部を構成するピボットアームの先端部が球面対偶を介して結合され、このピボットアームの基端部にワイパ軸２２が結合され、このワイパ軸２２には図６に示されるワイパブレード２３を装着したワイパアーム２４が取付けられるため、ホイールギヤ７が回転することによって、モータアームと、リンクコンロッドと、ピボットアームとにより形成される四接回転連鎖によってワイパ軸２２が往復で回動し、ワイパアーム２４に内蔵したアームスプリングによってワイパブレード２３を払拭面２５に押し付けながら上部反転位置Ａと下部反転位置Ｂとのあいだを往復で拭う。
【００３０】
また、ホイールギヤ７の上面の一部には、後述するコンタクタ１１に係止するための矩形状をなすコンタクタ係止部７ａが一体に突出形成されており、ホイールギヤ７の上方には、コンタクタ１１、第１のコンタクトプレート１２、第２のコンタクトプレート１３、第３のコンタクトプレート１４を取付けたギヤケースカバー１０が配置されている。
【００３１】
ギヤケースカバー１０には、平板状をなすカバー本体１０ａの上面に筒状に突出形成されたコネクタ部１６が備えられている。このコネクタ部１６には、上述した第１、第２、第３の外部接続端子１７、１８、１９が取付けられており、第１の外部接続端子１７は、ギヤケースカバー１０の下面において後述する第３のコンタクトプレート１４に電気的に接続されるとともに、コネクタ部１６に接続される図示しない外部配線を介して電源５０に電気的に接続される。第２の外部接続端子１８は、コネクタ部１６に接続される図示しない外部配線を介してワイパスイッチ３０の端子Ｌに電気的に接続され、第３の外部接続端子１９は、コネクタ部１６に接続される図示しない外部配線を介してワイパスイッチ３０の端子Ｈに電気的に接続される。
【００３２】
また、ギヤケースカバー１０には、図４に示されるように、カバー本体１０ａの下面側の中央に設けられた枢軸支持部１０ｆの外側の７個所にコンタクトプレート支持部１０ｂ、１０ｂ、１０ｂ、１０ｂ、１０ｂ、１０ｂ、１０ｂがそれぞれ備えられている。各コンタクトプレート支持部１０ｂは、カバー本体１０ａの下面上に小突起状に形成されており、各コンタクトプレート支持部１０ｂには、後述するコンタクトプレート母材４０に丸孔状に形成されたギヤケースカバー位置決め部４０ａ、４０ａ、４０ａ、４０ａ、４０ａ、４０ａ、４０ａが挿入される。
【００３３】
そしてまた、ギヤケースカバー１０には、図４に示されるように、枢軸支持部１０ｆの外側であって、後述するコンタクトプレート母材４０に備えた切断用つなぎ部４０ｄ、４０ｄ、４０ｄ、４０ｄ、４０ｄ、４０ｄに対応した位置に角孔状に形成された治具挿入部１０ｃ、１０ｃ、１０ｃ、１０ｃ、１０ｃ、１０ｃがそれぞれ設けられているとともに、後述するコンタクトプレート母材４０に備えた第１の端子部４０ｂ２、第２の端子部４０ｅ２が挿入される第１、第２の端子部挿入孔１０ｄ、１０ｅがそれぞれ設けられている。
【００３４】
コンタクトプレート母材４０は、図４に示されるように、導電性のある金属製板によって第１のコンタクトプレート本体４０ｂ、第２のコンタクトプレート本体４０ｅ、第３のコンタクトプレート本体４０ｈが一体的に成形されている。
【００３５】
第１のコンタクトプレート本体４０ｂには、略円盤状に形成されていてカバー本体１０ａの下面に平行に配置される第１の導通範囲形成部４０ｂ１を有するとともに、この第１の導通範囲形成部４０ｂ１から外側に延出してカバー本体１０ａに向け折り曲げられた第１の端子部４０ｂ２を有する。第１の端子部４０ｂ２はギヤケースカバー１０の第１の端子部挿入孔１０ｄに挿入されたうえで、コネクタ部１６内に配置される。
【００３６】
第２のコンタクトプレート本体４０ｅには、第１のコンタクトプレート本体４０ｂの外側に環状をなす絶縁部形成用空間４０ｃを介し離れてカバー本体１０ａの下面に平行に配置されるとともに、線状に形成された切断用つなぎ部４０ｄ、４０ｄ、４０ｄ、４０ｄによって第１のコンタクトプレート本体４０ｂに繋げられて一体的に形成された第２の導通範囲形成部４０ｅ１を有し、この第２の導通範囲形成部４０ｅ１の端部においてカバー本体１０ａに向け折り曲げられた第２の端子部４０ｅ２を有する。第２の端子部４０ｅ２はギヤケースカバー１０の第２の端子部挿入孔１０ｅに挿入されたうえで、コネクタ部１６内に配置される。
【００３７】
第３のコンタクトプレート本体４０ｈには、略矩形状に形成されていて、第１のコンタクトプレート本体４０ｂの第１の端子部４０ｂ２と第２のコンタクトプレート本体４０ｅの第２の端子部４０ｅ２との間に、絶縁部形成用空間４０ｃを介し離れてカバー本体１０ａの下面に平行に配置されるとともに、線状に形成された切断用つなぎ部４０ｄ、４０ｄによって第１のコンタクトプレート本体４０ｂおよび第２のコンタクトプレート本体４０ｅに繋げられて形成された第３の導通範囲形成部４０ｈ１を有するとともに、この第３の導通範囲形成部４０ｈ１の端部に形成された第３の端子部４０ｈ２を有する。第３の端子部４０ｈ２は、ギヤケースカバー１０上で第１の外部接続端子１７に電気的に接続される。この際の接続は加締固定が用いられる。
【００３８】
コンタクトプレート母材４０は、第１、第２、第３のコンタクトプレート本体４０ｂ、４０ｅ、４０ｈが連続的にして一体成形されているため、単一の部品として製作され、それによって、各コンタクトプレートを別々に成形する場合と比べて、材料の歩留りが極端に少ない。
【００３９】
コンタクトプレート母材４０は、図４に示されるように、ギヤケースカバー位置決め部４０ａ、４０ａ、４０ａ、４０ａ、４０ａ、４０ａ、４０ａがギヤケースカバー１０のコンタクトプレート支持部１０ｂ、１０ｂ、１０ｂ、１０ｂ、１０ｂ、１０ｂ、１０ｂにそれぞれ挿入されることによって位置決められる。このとき、切断用つなぎ部４０ｄ、４０ｄ、４０ｄ、４０ｄ、４０ｄ、４０ｄは治具挿入部１０ｃ、１０ｃ、１０ｃ、１０ｃ、１０ｃ、１０ｃ上に配置され、第１のコンタクトプレート本体４０ｂの第１の端子部４０ｂ２はギヤケースカバー１０の第１の端子部挿入孔１０ｄに挿入され、第２のコンタクトプレート本体４０ｅの第２の端子部４０ｅ２はギヤケースカバー１０の第２の端子部挿入孔１０ｅに挿入され、第３のコンタクトプレート本体４０ｈの第３の端子部４０ｈ２は、ギヤケースカバー１０上で第１の外部接続端子１７に電気的に接続される。各切断用つなぎ部４０ｄは図７に示すように、切断される第１の端部４０ｄ１と、治具挿入部１０ｃ内に挿入される切断用つなぎ部本体４０ｄ２と、該切断用つなぎ部本体４０ｄ２を治具挿入部１０ｃ内に折り曲げるための折り曲げ中心となる第２の端部４０ｄ３とよりなる。
【００４０】
そして、コンタクトプレート母材４０は、ギヤケースカバー１０のコンタクトプレート支持部１０ｂ、１０ｂ、１０ｂ、１０ｂ、１０ｂ、１０ｂ、１０ｂがギヤケースカバー位置決め部４０ａ、４０ａ、４０ａ、４０ａ、４０ａ、４０ａ、４０ａの上側で熱溶着されるとともに、切断用つなぎ部４０ｄ、４０ｄ、４０ｄ、４０ｄ、４０ｄ、４０ｄを挟むようにして、ギヤケースカバー１０の治具挿入部１０ｃ、１０ｃ、１０ｃ、１０ｃ、１０ｃ、１０ｃに図示しない切断用治具が挿入され、この切断用治具によって各切断用つなぎ部４０ｄの一端側にそれぞれ配置された第１の端部４０ｄが切断されるとともに、各第１の端部４０ｄ１に対向配置された各第２の端部４０ｄ３を折り曲げ中心として該各第１の端部４０ｄ１および該第２の端部４０ｄ３のあいだに配置された各切断用つなぎ部本体４０ｄ２を折り曲げて各治具挿入部１０ｃ内に挿入される。切断用治具によって第１の端部４０ｄが切断される際、コンタクトプレート母材４０は、各ギヤケースカバー位置決め部４０ａが各コンタクトプレート支持部１０ｂにそれぞれ固定されているため、第１、第２、第３のコンタクトプレート本体４０ｂ、４０ｅ、４０ｈはギヤケースカバー１０に対して位置ずれすることはない。
【００４１】
すなわち、各コンタクトプレート支持部１０ｂに各ギヤケースカバー位置決め部４０ａを固定する第１の工程と、治具挿入部１０ｃに切断用治具を挿入する第２の工程と、該切断用治具により各切断用つなぎ部４０ｄの第１の端部４０ｄ１を切断するとともに第２の端部４０ｄ３を折り曲げ中心として切断用つなぎ部本体４０ｄ２を治具挿入部１０ｃ内に折り曲げてコンタクトプレート本体４０ｂ、４０ｅ、４０ｈを互いに絶縁状態に分割する第３の工程とにより、一体に成形されたコンタクトプレート母材４０は、ギヤケースカバー１０の所定位置に一時にして取付けられ、それぞれ分割されることによって、図３に示されるように、第１のコンタクトプレート本体４０ｂより第１のコンタクトプレート１２が成形され、第２のコンタクトプレート本体４０ｅより第２のコンタクトプレート１３が成形され、第３のコンタクトプレート本体４０ｈより第３のコンタクトプレート１４が成形される。そして、コンタクトプレート母材４０がコンタクトプレート本体４０ｂ、４０ｅ、４０ｈにそれぞれ分割される際に、各切断用つなぎ部本体４０ｄ２は各コンタクトプレート本体４０ｂ、４０ｅ、４０ｈから分離していないので、それらを取り出す必要がない。
【００４２】
ギヤケースカバー１０上にそれぞれ分割して配置された第１、第２、第３のコンタクトプレート１２、１３、１４の上側には、図３に示されるように、コンタクタ１１が配置されている。
【００４３】
コンタクタ１１は、導電性のある金属製板によって成形されており、枢軸支持部１０ｆに挿入された枢軸２６により回転可能に支持されており、この枢軸２６を介して中央部が第１のコンタクトプレート１２に常時電気的に接続されている。
【００４４】
また、コンタクタ１１には、ギヤケースカバー１０側に突出していて、第２、第３のコンタクトプレート１３、１４のいずれか一方に電気的に接続可能な接点部１１ａを有するとともに、ギヤケースカバー１０上に突出していてホイールギヤ７のコンタクタ係止部７ａに係止可能なホイールギヤ係止部１１ｂが形成されている。
【００４５】
第１のコンタクトプレート１２に常時電気的に接続されたコンタクタ１１は、ホイールギヤ係止部１１ｂがホイールギヤ７のコンタクタ係止部７ａに係止することによって、ホイールギヤ７とともに回転し、ワイパ軸２２によってワイパブレード２３が下部反転位置Ｂにないときに電気的に接地された第２のコンタクトプレート１３に電気的に接続される一方、ワイパブレード２３が下部反転位置Ｂに到達したときに常時電源に電気的に接続された第３のコンタクトプレート１４に電気的に接続される。
【００４６】
コンタクタ１１は、ワイパスイッチ３０が低速モードに切換えられると、アーマチュア５が低速で回転することによってワイパブレード２３が払拭面２５の上部反転位置Ａと下部反転位置Ｂとのあいだを拭っている途中で、ワイパスイッチ３０が停止モード（OFF ）に切換えられることによって、第２のブラシ５ｆの接地経路がカットオフされても、ワイパブレード２３が下部反転位置Ｂにないときは第２のコンタクトプレート１３に電気的に接続されることによって接地され、ワイパスイッチ３０の端子Ｐ、端子Ｌが接地されて、第２のブラシ５ｆに接地経路を形成するため、アーマチュア５の回転を続けさせ、ワイパブレード２３が下部反転位置Ｂに到達したところで、第３のコンタクトプレート１４に電気的に接続されて、ワイパスイッチ３０の端子Ｐ、端子Ｌを電源５０に接続して、第２のブラシ５ｆを介してアーマチュアショートさせ、アーマチュア５を急停止させるため、ワイパブレード２３を所定の停止位置である下部反転位置Ｂに停止させる機能をもつ。
【００４７】
このような構造をなすワイパモータ１は、車両のボンネットと払拭面２５であるフロントウインドシールドガラスとの間のカウルトップパネルの下に取付けられ、出力軸２１にモータアームの基端部が結合され、モータアームの先端部にリンクコンロッドの一端部が球面対偶を介して結合され、リンクコンロッドの他端部にピボットアームの先端部が球面対偶を介して結合され、ピボットアームの基端部にワイパ軸２２が結合される。ワイパ軸２２はカウルトップパネルの外側に突出するため、ワイパ軸２２にワイパブレード２３を装着したワイパアーム２４が取付けられ、ギヤケースカバー１０上のコネクタ部１６にワイパスイッチ３０、電源５０に接続した外部配線を備えた他のコネクタが嵌付けられる。
【００４８】
ワイパブレード２３が下部反転位置Ｂで停止しているワイパの不使用状態から、ワイパスイッチ３０が低速モードに切換えられると、アーマチュア５が低速で正回転するため、第１、第２の中間ギヤ８、９を介してホイールギヤ７が低速で正回転し、ホイールギヤ７が回転することによって、モータアームと、リンクコンロッドと、ピボットアームとにより形成される四接回転連鎖によってワイパ軸２２が往復で回動し、ワイパアーム２４に内蔵したアームスプリングによってワイパブレード２３を払拭面２５に押し付けながら上部反転位置Ａと下部反転位置Ｂとのあいだを往復で低速で拭う。このとき、ホイールギヤ７が回転することによって、ホイールギヤ７のコンタクタ係止部７ａがコンタクタ１１のホイールギヤ係止部１１ｂに係止してコンタクタ１１を押圧するため、コンタクタ１１もホイールギヤ７とともに回転する。
【００４９】
ワイパブレード２３が払拭面を拭っている途中で、ワイパスイッチ３０が停止モードに切換えられると、ワイパスイッチ３０の端子Ｐが端子Ｌに接続され、ワイパブレード２３が下部反転位置Ｂになければ、コンタクタ１１が第２のコンタクトプレート１３に接続されているため、電源５０、第１の外部接続端子１７、第１のブラシ５ｅ、第２のブラシ５ｆ、第２の外部接続端子１８、端子Ｌ、端子Ｐ、第１の端子部４０ｂ２、第１のコンタクトプレート１２、コンタクタ１１、第２のコンタクトプレート１３、第２の端子部４０ｅ２、接地の通電経路が形成されてアーマチュア５に対する電流供給が続けられ、ワイパブレード２３が下部反転位置Ｂに到達したところで、コンタクタ１１が第３のコンタクトプレート１４に接続され、第１の外部接続端子１７、第３のコンタクトプレート１４、コンタクタ１１、第１のコンタクトプレート１２、第１の端子部４０ｂ２、端子Ｐ、端子Ｌ、第２の外部接続端子１８、第２のブラシ５ｆを通る閉ループのアーマチュアショート回路が形成されるため、アーマチュア５が急制動してワイパブレード２３が下部反転位置Ｂに停止する。
【００５０】
また、ワイパブレード２３が下部反転位置Ｂで停止しているワイパの不使用状態から、ワイパスイッチ３０が高速モードに切換えられると、アーマチュア５が高速で正回転するため、第１、第２の中間ギヤ８、９を介してホイールギヤ７が高速で正回転し、ホイールギヤ７が回転することによって、モータアームと、リンクコンロッドと、ピボットアームとにより形成される四接回転連鎖によってワイパ軸２２が往復で回動し、ワイパアーム２４に内蔵したアームスプリングによってワイパブレード２３を払拭面２５に押し付けながら上部反転位置Ａと下部反転位置Ｂとのあいだを往復で高速で拭う。このとき、ホイールギヤ７が回転することによって、ホイールギヤ７のコンタクタ係止部７ａがコンタクタ１１のホイールギヤ係止部１１ｂを押圧するため、コンタクタ１１もホイールギヤ７とともに回転する。
【００５１】
ワイパブレード２３が払拭面を拭っている途中で、ワイパスイッチ３０が停止モードに切換えられると、ワイパブレード２３が下部反転位置Ｂ以外にあれば、コンタクタ１１が第２のコンタクトプレート１３に接続されているため、ワイパスイッチ３０の端子Ｐが端子Ｌに接続され、電源５０、第１の外部接続端子１７、第１のブラシ５ｅ、第２のブラシ５ｆ、第２の外部接続端子１８、端子Ｌ、端子Ｐ、第１の端子部４０ｂ２、第１のコンタクトプレート１２、コンタクタ１１、第２のコンタクトプレート１３、第２の端子部４０ｅ２、接地の通電経路が形成されてアーマチュア５に対する電流供給が続けられ、ワイパブレード２３が下部反転位置Ｂに到達したところで、コンタクタ１１が第３のコンタクトプレート１４に接続され、第１の外部接続端子１７、第３のコンタクトプレート１４、コンタクタ１１、第１のコンタクトプレート１２、第１の端子部４０ｂ２、端子Ｐ、端子Ｌ、第２の外部接続端子１８、第２のブラシ５ｆを通る閉ループのアーマチュアショート回路が形成されるため、アーマチュア５が急制動してワイパブレード２３が下部反転位置Ｂに停止するものとなる。
【００５２】
【発明の効果】
以上説明してきたように、本発明の請求項１に係るワイパモータによれば、複数個のコンタクトプレートは、各ギヤケースカバー位置決め部がギヤケースカバーの複数個のコンタクトプレート支持部にそれぞれ固定され、各コンタクトプレートを互いに連結する複数個の切断用つなぎ部は、切断されることにより各コンタクトプレートを互いに分離する第１の端部と、治具挿入部内に挿入される切断用つなぎ部本体と、該切断用つなぎ部本体を治具挿入部内に折り曲げるための折り曲げ中心となる第２の端部とから構成されているので、各コンタクトプレートは、複数個の切断用つなぎ部にて連結された状態でギヤケースカバー上に固定することが可能であり、従来生じていた複数個のコンタクトプレートを個々にギヤケースカバーに取付ける必要がなくなる。また、各切断用つなぎ部は、第１の端部のみが切断されるとともに、各切断用つなぎ部本体は治具挿入部内に挿入されるので、その除去作業は不要となるという優れた効果を奏する。
【００５３】
また、本発明の請求項２に係わるワイパモータによれば、第１、第２および第３のコンタクトプレートは、各ギヤケースカバー位置決め部がギヤケースカバーの複数個のコンタクトプレート支持部にそれぞれ固定され、各コンタクトプレートを互いに連結する複数個の切断用つなぎ部は、切断されることにより各コンタクトプレートを互いに分離する第１の端部と、治具挿入部内に挿入される切断用つなぎ部本体と、該切断用つなぎ部本体を治具挿入部内に折り曲げるための折り曲げ中心となる第２の端部とから構成されているので、第１、第２および第３のコンタクトプレートは、複数個の切断用つなぎ部にて連結された状態でギヤケースカバー上に固定することが可能であり、従来生じていた複数個のコンタクトプレートを個々にギヤケースカバーに取付ける必要がなくなる。また、各切断用つなぎ部は、第１の端部のみが切断されるとともに、各切断用つなぎ部本体は治具挿入部内に挿入されるので、その除去作業は不要となるという優れた効果を奏する。
【００５４】
さらに、本発明の請求項３に係るワイパモータの製造方法によれば、複数個のコンタクトプレートは、導電性を有するコンタクトプレート母材に一体に成形された複数個のコンタクトプレート本体の各ギヤケースカバー位置決め部をギヤケースカバーの複数個のコンタクトプレート支持部にそれぞれ固定した後に、切断用治具を治具挿入部に挿入し、この切断用治具により各切断用つなぎ部の第１の端部を切断するとともに第２の端部を折り曲げ中心として切断用つなぎ部本体を治具挿入部内に折り曲げることで、ギヤケースカバー上において互いに絶縁されて形成され、そして、配置されるので、ギヤケースカバーには、一体をなすコンタクトプレート母材のみを取付ければよく、したがって、複数個のコンタクトプレートを別々に作成した際に生ずる材料の無駄がなくなるうえ、独立して成形された複数個のコンタクトプレートを個々にギヤケースカバーに取付ける必要がなくなり、材料の歩留まりを向上させて材料の無駄が少なく抑えられると共に、組込みに際しての作業性を向上させることが出来るという優れた効果を奏する。また、各切断用つなぎ部本体は、各コンタクトプレート本体から分離していないので、その除去作業が不要となるという優れた効果を奏する。
【００５５】
一方、本発明の請求項４に係わるワイパモータの製造方法によれば、第１〜第３のコンタクトプレートは、導電性を有するコンタクトプレート母材に一体に成形された第１〜第３のコンタクトプレート本体の各ギヤケースカバー位置決め部をギヤケースカバーの複数個のコンタクトプレート支持部にそれぞれ固定した後に、切断用治具を治具挿入部に挿入し、この切断用治具により各切断用つなぎ部の第１の端部を切断するとともに第２の端部を折り曲げ中心として切断用つなぎ部本体を治具挿入部内に折り曲げることで、ギヤケースカバー上において互いに絶縁されて形成され、第１のコンタクトプレートは、コンタクタに常時電気的に接続され、電気的に接地された第２のコンタクトプレートは、第１のコンタクトプレートから絶縁されて配置され、常時電源に電気的に接続される第３のコンタクトプレートは、第１および第２のコンタクトプレートから絶縁されて配置されることから、ギヤケースカバーには、一体をなすコンタクトプレート母材のみを取付ければ済み、その結果、第１、第２および第３のコンタクトプレートを別々に作成する際に生じる材料の無駄がなくなるのに加えて、独立して成形された第１、第２および第３のコンタクトプレートを個々にギヤケースカバーに取付ける必要もなくなり、請求項１に係わるワイパモータの製造方法と同じく、材料の歩留まりを向上させて材料の無駄が少なく抑えられると共に、組込みに際しての作業性を向上させることが出来るという優れた効果を奏する。また、各切断用つなぎ部本体は、各コンタクトプレート本体から分離していないので、その除去作業が不要となるという優れた効果を奏する。
【図面の簡単な説明】
【図１】本発明に係わるワイパモータの第１実施例の一部破断側面図である。
【図２】図１に示したワイパモータの一部破断平面図である。
【図３】図１に示したワイパモータにおけるギヤケースカバーの外観斜視図である。
【図４】図１に示したワイパモータにおけるギヤケースカバーとコンタクトプレートとの組付関係を説明する各部品の外観斜視図である。
【図５】図１に示したワイパモータにおけるギヤケースカバーとギヤケースとの組付関係を説明する各部品の外観斜視図である。
【図６】図１に示したワイパモータにおける回路構成図である。
【図７】図１に示したワイパモータにおけるコンタクトプレート母材の切断用つなぎ部を示す斜視図である。
【符号の説明】
１        ワイパモータ
２        モータケース
３        マグネット
４        マグネット
５        アーマチュア
５ａ      アーマチュア軸
６        ギヤケース
６ａ      ギヤ収容部
７        ホイールギヤ
１０      ギヤケースカバー
１０ｂ    コンタクトプレート支持部
１０ｃ    治具挿入部
１１      コンタクタ
１２      （コンタクトプレート）第１のコンタクトプレート
１３      （コンタクトプレート）第２のコンタクトプレート
１４      （コンタクトプレート）第３のコンタクトプレート
２１      出力軸
４０      コンタクトプレート母材
４０ａ    ギヤケースカバー位置決め部
４０ｂ    （コンタクトプレート本体）第１のコンタクトプレート本体
４０ｃ    絶縁部形成用空間
４０ｄ    切断用つなぎ部
４０ｄ１  第１の端部
４０ｄ２  切断用つなぎ部本体
４０ｄ３  第２の端部
４０ｅ    （コンタクトプレート本体）第２のコンタクトプレート本体
４０ｈ    （コンタクトプレート本体）第３のコンタクトプレート本体
【図１】
0003629562.tif 000002
【図２】
0003629562.tif 000003
【図３】
0003629562.tif 000004
【図４】
0003629562.tif 000005
【図５】
0003629562.tif 000006
【図６】
0003629562.tif 000007
【図７】
0003629562.tif 000008